(57)【要約】　　　（修正有）【課題】環境にやさしく、経済的に清潔で容易に取り付けられる家庭用液体洗剤等の詰め替え用パッケージのクリップを提供すること。【解決手段】詰め替えパッケージ３の上部を予め切り、パッケージ３の押さえ及び密閉する為のゴムスポンジ素材と樹脂素材でハサミ式に形成された家庭用液体洗剤等のクリップ２にステンレス素材で形成された鍵状のフック６でハサミ状になっているクリップ２に取り付け、家庭用液体洗剤等のポンプ１を取り付ける。それら合体されたクリップ２をステンレス素材で線状に四足及び剛性を強化する為の梁で構成された台４に載せる。合成されたクリップ２と台４との結合部はクリップ２部には、ステンレス素材の線状の棒７が突き出し、台４部には、上部が半月状の受け８で形成している家庭用液体洗剤等の詰め替え用パッケージのクリップ。【選択図】図１
0003097498.tif 000002
【実用新案登録請求の範囲】
【請求項１】
家庭用液体洗剤等の詰め替え用パッケージ３の上部を予め切り、パッケージ３の押さえ及び密閉する為のゴムスポンジ素材と樹脂素材でハサミ式に形成された家庭用液体洗剤等の詰め替え用パッケージのクリップ２にステンレス素材で形成された鍵状のフック６でハサミ状になっているクリップ２に取り付け、家庭用液体洗剤等のポンプ１を取り付ける。その際、ポンプ１とクリップ２との結合部は螺子５式である。それら合体されたクリップ２をステンレス素材で線状に四足及び剛性を強化する為の梁で構成された台４に載せる。合成されたクリップ２と台４との結合部はクリップ２部には、ステンレス素材の線状の棒７が突き出し、台４部には、上部が半月状の受け８で形成している家庭用液体洗剤等の詰め替え用パッケージのクリップ。
【考案の詳細な説明】
【０００１】
【考案に属する技術分野】この考案は、家庭用液体洗剤等の詰め替え用パッケージ３をクリップ２で挟み、ポンプ１を取り付け、台４に載せた家庭用洗剤等の詰め替え用パッケージのクリップに関するものである。
【０００２】
【従来の技術】従来のポンプは、家庭用液体洗剤等の詰め替え用パッケージの上部の一部を切り、ボトルに注いでいた。そして、ボトルの口が小さい為、注ぐ際によく液体洗剤を溢す場合がある。又、ボトルも何回も同じ物を使用してしまっていた。主婦は、液体洗剤が無くなる毎にボトルへの注ぐ作業をしいられている。その作業は極めてわずらわしいことである。又、経済的、衛生的にも不適当でもある。
【０００３】
【考案が解決しようとする課題】本案は、その欠点を除き、取り付け易く、経済的、衛生的、自由度に最適である。特に、この家庭用液体洗剤等の詰め替え用パッケージのクリップ２は、できるだけゴミを出さず環境にやさしい仕様になっている。使用者、特に主婦の味方になる開発をしようとするものである。
【０００４】
【課題を解決するための手段】本案は、家庭用液体洗剤等の詰め替え用パッケージ３の上部を予め切り、パッケージ３の押さえ及び密閉する為のゴムスポンジ素材と樹脂素材でハサミ式に形成された家庭用液体洗剤等の詰め替え用パッケージのクリップ２にステンレス素材で形成された鍵状のフック６でハサミ状になっているクリップ２に取り付け、家庭用液体洗剤等のポンプ１を取り付ける。
【０００５】
その際、ポンプ１とクリップ２との結合部は螺子５式である。それら合体されたクリップ２をステンレス素材で線状に四足及び剛性を強化する為の梁で構成された台４に載せる。合成されたクリップ２と台４との結合部はクリップ２部には、ステンレス素材の線状の棒７が突き出し、台４部には、上部が半月状の受け８で形成している。半月状の受け８がクリップ２の動き、もしくは、使用する角度も自由度（１２０度使用可能）である家庭用液体洗剤等の詰め替え用パッケージのクリップ。
【０００６】
【考案の実施の形態】本案は、以上のような構成であるから、これを使用する際は、従来のポンプの使用方法と同じであるが、使用する際の角度は、自由度になっている。
【０００７】
【考案の効果】従って、容易に取り付けができ、わずらわしい注ぐ作業がなくなる。又、経済的（溢れず）衛生的、できるだけゴミを出さず環境にやさしく、自由度である為、最適である。
【図面の簡単な説明】
【図１】全体斜視図
【図２】本体斜視図
【図３】正面図
【図４】Ａ−Ａ断面
【符号の説明】
１…ポンプ
２…家庭用洗剤等の詰め替え用パッケージのクリップ
３…家庭用洗剤等の詰め替え用パッケージ
４…台
５…螺子
６…フック
７…棒
８…半月状の受け
【図１】
0003097498.tif 000003
【図２】
0003097498.tif 000004
【図３】
0003097498.tif 000005
【図４】
0003097498.tif 000006
【手続補正書】
【提出日】平成15年3月20日(2003.3.20)
【手続補正１】
【補正対象書類名】明細書
【補正対象項目名】請求項１
【補正方法】変更
【補正の内容】
【請求項１】
家庭用液体等の詰め替え用パッケージ３の上部を予め切り、パッケージ３の押さえ及び密閉する為のゴムスポンジ素材を合成樹脂素材でハサミ状に形成された家庭用液体洗剤等の詰め替え用のパッケージのクリップ２の両内側に固定され、ステンレス素材で形成された鍵状のフック６をクリップ２の開閉される側に取り付け、パッケージ３を固定する為に使用され、家庭用液体洗剤等のポンプ１とクリップ２との結合部が螺子５式にもなっている為、ポンプ１とクリップ２の脱着とポンプ１、クリップ２によってのパッケージ３の密閉を強める働きを兼ねており、ポンプ１、クリップ２、パッケージ３によって、結合された部分をステンレス素材で線状に四足及び剛性を強化する為の梁で構成された台４に載せ、その際、クリップ２側には、ステンレス素材の線状の棒７がクリップ２の開閉側と支点側の両側に突き出し、台４側には、上部が半月状の受け８になっており、棒７が載せられるように構成されている家庭用液体洗剤の詰め替え用パッケージのクリップ。
【手続補正書】
【提出日】平成15年6月23日(2003.6.23)
【手続補正２】
【補正対象書類名】明細書
【補正対象項目名】考案の詳細な説明
【補正方法】変更
【補正の内容】
【考案の詳細な説明】
【０００１】
【考案に属する技術分野】この考案は、家庭用液体洗剤等の詰め替え用パッケージ３をクリップ２で挟み、ポンプ１を取り付け、台４に載せた家庭用洗剤等の詰め替え用パッケージのクリップに関するものである。
【０００２】
【従来の技術】従来のポンプは、家庭用液体洗剤等の詰め替え用パッケージの上部の一部をきり、ボトルを注いでいた。そして、ボトルの口が小さい為、注ぐ際によく液体洗剤を溢す場合がある。又、ボトルも何回も同じものを使用してしまっていた。主婦は、液体洗剤が無くなる毎にボトルへの注ぐ作業をしいられている。その作業は極めてわずらわしいことである。又、経済的、衛生的にも不適当である。
【０００３】
【考案が解決しようとする課題】本案は、その欠点を除き、取り付け易く、経済的、衛生的、自由度に最適である。特に、この家庭用液体洗剤等の詰め替え用パッケージのクリップ２は、できるだけごみを出さず環境にやさしい仕様になっている。使用者、特に主婦の味方になる開発をしようとするものである。
【０００４】
【課題を解決するための手段】本案は、家庭用液体洗剤等の詰め替え用パッケージ３の上部を予め切り、パッケージ３の押さえ及び密閉する為のゴムスポンジ素材と樹脂素材でハサミ式に形成された家庭用液体洗剤等の詰め替え用パッケージのクリップ２にステンレス素材で形成された鍵状のフック６でハサミ状になっているクリップ２に取り付け、家庭用液体洗剤等のポンプ１を取り付ける。
【０００５】
その際、ポンプ１とクリップ２との結合部は螺子５式である。それら合体されたクリップ２をステンレス素材で線状に四足及び剛性を強化する為の梁で構成された台４に載せる。合成されたクリップ２と台４との結合部はクリップ２部には、ステンレス素材の線状の棒７が突き出し、台４部には、上部が半月状の受け８で形成している。半月状の受け８がクリップ２の動き、もしくは、使用する角度も自由度（１２０度使用可能）である家庭用液体洗剤等の詰め替え用パッケージのクリップ。
【０００６】
【考案の実施の形態】本案は、以上のような構成であるから、これを使用する際は、従来のポンプの使用方法と同じであるが、使用する角度は、自由度になっている。
【０００７】
【考案の効果】従って、容易に取り付けができ、わずらわしい注ぐ作業がなくなる。又、経済的、衛生的、できるだけゴミを出さず環境にやさしく、自由度がある為、最適である。


【手続補正３】
【補正対象書類名】明細書
【補正対象項目名】図面の簡単な説明
【補正方法】変更
【補正の内容】
【図面の簡単な説明】
【図１】全体斜視図
【図２】本体斜視図
【図３】正面図
【図４】Ａ−Ａ断面
【符号の説明】
１…ポンプ
２…家庭用洗剤等の詰め替え用パッケージのクリップ
３…家庭用洗剤等の詰め替え用パッケージ
４…台
５…螺子
６…フック
７…棒
８…半月状の受け